(57)【要約】      （修正有）【課題】コピー用紙及びプリント用紙などの用紙、シールを新しい広告媒体とし、比較的小額費用で、大きな広告効果が得られる広告システムを提供する。【解決手段】コピー用紙、プリント用紙、日用品などに広告を掲載することにより、コピー、ファックス、プリンター、スキャナが利用できるばかりではなく、名刺や写真、その他の印刷物、内容証明が安価にて利用でき、更に、防虫効果、芳香効果を付与することにより、防虫剤、芳香剤にも利用できる。【選択図】図１
2009258572.tif 000002
【特許請求の範囲】
【請求項１】
１．広告データーを、プリント機器、複写機器、コピー機、複合機、印刷機、輪転機、プ    リンター、ファックス、スキャナ等の通信機器に入力する入力手段
２．前記機器に入力された広告データーを記憶する記憶手段
３．原稿に、広告が入っている原稿と入っていない原稿かのいずれを希望するかの用紙選    択手段
４．希望する手段による、用紙出力手段
【請求項２】
前記により入力された広告データーを、広告事業者のコンピューターを利用して、広告主から申込を受けた広告に関する信号、データーを、数箇所に設置された機器に送信して広告データーの新規登録、変更、更新、削除などの訂正を行うシステム
【請求項３】
前記広告データーを計測し、配信不要である場合には、その広告データーを配信することを停止するシステム
【請求項４】
あらかじめ、広告を印刷した用紙、シール、ラベル、を、コピー機、プリンター、ファックス、スキャナ、複合機、印刷機、輪転機、プリント機器、複写機器に給紙して、プリントすることによる新たな広告媒体システム
【請求項５】
一般ユーザーが、事業者コンピューターに、アクセスをし、文書や図画、添付資料などを送信するシステム
【請求項６】
事業者コンピューターにアクセス環境、接続環境がない場合には、事業者に対して、直接、文書や図画を郵送及びファックスする方法により、送信するシステム
【請求項７】
前号により選択された用紙、シール、プリントフィルムに、それらの用紙の裏面及び余白部分に広告をプリントして、若しくは、無広告のものを依頼者である一般ユーザーに届けるシステム
【請求項８】
あらかじめ、防虫効果、芳香効果のある用紙を使用し広告掲載することにより、新たな広告媒体とするシステム
【請求項９】
複写機器、コピー機、複合機、印刷機、輪転機、プリンター、ファックス、スキャナ、プリント機器の通信機器を使用して、広告入り、広告なし、及び防虫効果、芳香効果のある用紙、ラベル、プリントフィルムを用いて、コピー、プリンター、スキャナ、ファックス、名刺、写真、顔写真、等の印刷物などが安価、若しくは無償にてプリントアウトすることができるもの。
【請求項１０】
通常の企業のＤＭやカタログは、非常に迷惑となる場合もあるので、一般ユーザーとしても、受け取り、重宝する日常生活用品及び食料品に、企業の広告などを印刷若しくは印刷されたものを貼りつけて、一般ユーザーに送付し、新たな広告媒体システムとするもの。
【請求項１１】
一般ユーザーが、事業者のコンピューターに、アクセスをして、郵便物やハガキ、内容証明郵便を出せるようにするシステム
【請求項１２】
一般ユーザーが、事業者に直接郵送若しくはファックス等の通信機器を用いて、郵便物やハガキ、内容証明郵便を出せるようにするシステム
【請求項１３】
内容証明郵便が、文字数の制限、文字種の制限を撤廃し、写真、図画、図面、資料を記載、添付することのできるシステム
【請求項１４】
事業者側で、一般ユーザーより送信、送達され受取った内容証明を、事業者側で差出日、差出入、相手方、及び文面内容、資料、添付資料の取扱及び送達を証明し、後日必要に応じて、謄本、抄本を交付するシステム
【請求項１５】
一般ユーザーが郵便物、ハガキ、内容証明を差し出す際に、内容証明の裏面及び余白部分に、企業の広告が入っているものと、広告が入っていないものを選択できるシステム
【請求項１６】
一般ユーザーが広告入りのハガキ、郵便物、内容証明を選択した場合には、比較的安価若しくは無償にて、文字数、文字種に制限がなく、写真、図画、図面、資料を記載、添付された広告入りの内容証明郵便、ハガキ、郵便物が発信することができるシステム
【請求項１７】
一般ユーザーが、広告なしの内容証明を選択した場合には、広告の掲載されていない内容証明が文字数、文字種に制限がなく、写真、図画、資料を記載、添付された内容証明郵便が発信することのでき、合わせて、広告が掲載されていない、郵便物やハガキが発信することのできるシステム
【発明の詳細な説明】
【技術分野】
【０００１】本発明は、新しい広告システムである。
【背景技術】
【０００２】近年において、プリント機器、複写機器、コピー機、複合機、印刷機、輪転機、プリンター、ファックス、スキャナ等の通信機器は、一般企業、官公署、コンビニエンスストアなど非常に多岐にわたり、広く利用されている。
しかし、通常印刷、複写、プリントアウトされたものの、余白部分及び写真、名刺などの裏側には、何も文字が記載されていない。通常このようにして、印刷、複写、プリントアウト、及び撮影した写真は、相当の長期間にわたり保存されるものである。また、通常の新聞広告やチラシ、テレビＣＭなどであれば、その場限りのものであり、また費用が多額に上り、必ずしも最良の広告媒体とは言えない。【０００３】一般家庭においては、企業や官公署なみに、プリント機器、複写機器、コピー機、複合機、印刷機、輪転機、プリンター、ファックス、スキャナ等の通信機器が整備されていない家庭あり、その場合には、その都度、これらの機器がある場所まで出向かなければならない。またそればかりではなく、これらの機器がある場所まで出向くことが困難な場合、若しくは近くに、これらの機器がない場合には、非常に不便であると言わざるをえない。【０００４】それら前号の印刷物、複写物、プリントアウトしたものは、長期間にわたり、保存されることが想定されるが、それらの保管状況によっては、虫食いが発生したり劣化する可能性も否定できない。【０００５】日常生活において、箪笥の中及び室内や車内などにおいて、防虫剤や芳香剤を設置することは、しばしばあるが、スペースがない場所であると邪魔であるばかりか、防虫剤や芳香剤を、金銭を出して購入しなければならないため、購入費用がかかる。【０００６】通常の企業のＤＭ「ダイレクトメール」や案内文書は、受信者側にとっては、関心のない案内文書や、書籍、雑誌、その他の印刷物が大量に届き、迷惑となる場合がある。【０００７】内容証明郵便を発信しなければならない場合、現在の郵便局の内容証明郵便は、文字数、文字種が制限されていること、及び図面や図画を記載したり、添付すること、及び添付資料を添付することができず、発信者、受信者双方にとっても、理解の弁に苦しむところがある。また、現在の内容証明は、料金が比較的高額でもあるばかりではなく、差出人にとっても、要件が厳格に決まっている等、発信することが、とても面倒であると言わざるをえない。【０００８】ハガキや郵便物を発信しようとする場合には、わざわざ宛名を記載して、文書を書いて、封筒にいれ、ポストに投函しなければならないが、いちいちこのようなことをするのは面倒である。
【発明の開示】
【発明が解決しようとする課題】
【０００９】本発明は、前記の現状に基づいて、コピー用紙及びプリント用紙などの用紙、シールを新しい広告媒体とし、比較的小額費用で、大きな広告効果が得られる広告システムを提供することを課題とする。【００１０】本発明は、プリント機器、複写機器、コピー機、複合機、印刷機、輪転機、プリンター、ファックス、スキャナ等の通信機器が整備されていない環境若しくは、それらの環境のある場所まで出向くことが困難である場合においても、それらの機器を手軽に利用できるようにすることを課題とする。【００１１】本発明は、長期間若しくは半永久的に用紙や写真を保存することが想定されているので、企業の広告が入っているもの、若しくは広告が入っていない用紙を用いて、芳香効果及び防虫効果のある用紙を防虫剤及び芳香剤としても使用することができるようし、芳香剤、防虫剤、そして新たな広告媒体とすることを課題とする。【００１２】本発明は、日常生活において、箪笥の中及びクローゼットや室内、車内、において、防虫剤及び芳香剤を購入して設置することがあるが、そのようなことをしなくても、防虫剤及び芳香剤としても使用できることを課題とする。【００１３】本発明は、一般ユーザーが企業からのＤＭなどを受信する際に、生活に役立つ日用品や食料品などに企業の広告などを記載及び、それらのラベルを張ることにより、消費者としても受取って生活に役立つＤＭ、広告媒体を作ると同時に企業のイメージアップに貢献することを課題とする。【００１４】本発明は、内容証明郵便を発信する際に、文字数、文字種に制限はなく、また、図面、図画を記載したり、書類添付をすることにより、より一層分かりやすい内容の内容証明郵便を作成できることを課題とする。【００１５】本発明は、一般ユーザーの選択により内容証明の余白部分及び裏面に広告が掲載されている内容証明と広告が掲載されていない内容証明を差出入である一般ユーザーが選択できることを課題とする。【００１６】本発明は、内容証明の裏面及び余白部分にも企業の広告を掲載することにより、比較的安価で、新しい広告媒体とすることを課題とする。【００１７】本発明は、ハガキや郵便物を発信する際に、ハガキの裏面及び余白部分、及び手紙などの場合には、手紙の裏面や余白部分に企業の広告を掲載することにより、それらを用いた広告媒体とすることを課題とする。
【課題を解決するための手段】
【００１８】本発明は、本件課題を解決するため、次のようにして解決する。
１．広告データーを、プリント機器、複写機器、コピー機、複合機、印刷機、輪転機、プ    リンター、ファックス、スキャナなどの通信機器に広告を入力する入力手段
２．前記機器に入力された広告データーを機器が記憶する手段
３．原稿に、広告が掲載されている原稿と広告が掲載されていない原稿を、選択する用紙    選択手段
４．希望する用紙による、原稿出力手段【００１９】前記により入力された広告データーを、広告事業者のコンピューターを利用することにより、広告主から申込を受けた、広告に関する信号、データーを数箇所に設置された機器に送信することにより、広告データーの新規登録、変更、更新、削除などの訂正を行う手段【００２０】前記広告データーが不要である場合、若しくは配信する必要がない場合などには、そのデーターを配信することを停止するシステム【００２１】前記広告データーを配信する他にも、あらかじめ、広告を印刷した用紙を、プリント機器、複写機器、コピー機、複合機、印刷機、輪転機、プリンター、ファックス、スキャナ等の通信機器に給紙する手段【００２２】プリント機器、複写機器、コピー機、複合機、印刷機、輪転機、プリンター、ファックス、スキャナ等の通信機器が整備されていない環境若しくは、それらの環境のある場所まで出向くことが困難な場合においても、これらの機器を利用できるようにするため、一般ユーザーが事業者コンピューターにアクセスをして、文書や図画、添付資料を送信する手段【００２３】プリント機器、複写機器、コピー機、複合機、印刷機、輪転機、プリンター、ファックス、スキャナ等の通信機器が整備されていない環境若しくは、それらの環境のある場所まで出向くことが困難な場合においても、これらの機器を利用できるようにするため、一般ユーザーが事業者に対して、直接文書や図画を郵送、及びファックスして送信する手段【００２４】一般ユーザーより、送信されてきた、文書や図画、添付資料を、一般ユーザーが広告が掲載されている用紙、広告が掲載されていない用紙を選択する手段【００２５】一般ユーザーより、広告入りのタイプが選択された場合には、これらの用紙の余白若しくは裏面に広告を掲載して、安価にて依頼者であるユーザーに届ける手段【００２６】一般ユーザーにより、広告なしのタイプが選択された場合には、これらの用紙には、広告を掲載することなく、依頼者である一般ユーザーに届ける手段【００２７】用紙やラベルは、相当の長期間にわたり、保存されることが十分に考えられ、またその間に、虫食いにあったりする可能性も十分に考えられるため、あらかじめ防虫効果のある用紙を用い、防虫効果を発揮して防虫剤としても代用できるようにする手段【００２８】用紙、ラベルは、相当の長期間にわたり保管されることが十分に考えられるため、用紙やラベル自体に芳香効果を持たせることにより、芳香剤としても代用できるようする手段【００２９】用紙、ラベルは、相当の長期間にわたり保管されることが十分に考えられるため、それらの用紙に芳香効果、防虫効果を持たせることにより、室内や車内等人目につくところに置くことにより芳香剤や防虫剤の代わりとして置くだけではなく、合わせて新しい広告媒体とする手段【００３０】一般ユーザーが企業からのＤＭや案内文書、カタログなどが送られてくると、迷惑する場合も多々あるが、一般ユーザーから、プリントの注文を受けた際には、一般ユーザーに対してアンケートを実施し、ユーザーの状況を的確に把握し、そのユーザーに対しては、貰っても迷惑しないよう、日用品、食料品などの本体及びパッケージに広告を掲載、若しくは広告が掲載されたラベルを貼りつけて、ユーザーに対して送付することにより、一般ユーザーが企業からＤＭなどを受取っても、日常生活に役立つ広告を送付する手段【００３１】一般ユーザーが内容証明郵便を発信する場合に、文字数や文字種に制限がなく、また図面や図画を添付したりしてより分かりやすい内容証明を発信できるようにする手段【００３２】一般ユーザーが、事業者のコンピューターにアクセスをして、時間や場所を問わずに内容証明が発信できるようにする手段【００３３】一般ユーザーが、手元に通信機器がない場合には事業者に対して直接郵送若しくは、ファックスをして、内容証明が発信できるようにする手段【００３４】一般ユーザーの選択により、内容証明の余白部分及び裏面には、広告が掲載された用紙と掲載されていない用紙を一般ユーザーが選択することのできる手段【００３５】一般ユーザーの選択により、広告入りの用紙を選択した場合には、内容証明の裏面及び余白部分に企業の広告を掲載することにより、比較的安価にて内容証明が発信することのできるようにする手段【００３６】一般ユーザーの選択により、広告なしの用紙が選択された場合には、用紙には広告を掲載せずにユーザーは、文字数や文字種が制限がなく及び、図面や図画を記載したり、書類を添付した内容証明が発信することのできる手段【００３７】一般ユーザーの選択により、内容証明を発信する際に、事業者側で差出日、差出入、相方方受取人、及び文面内容、その他の資料の取扱及び送達を証明することのできる手段【００３８】一般ユーザーの希望により、内容証明も、速達、配達証明書、本人限定扱、時刻証明、配達日指定、代金引換え等のオプションを選択して、内容証明郵便を発信することのできる手段【００３９】一般ユーザーの希望により、郵便物を差し出す場合及びハガキを差し出す場合、ハガキや郵便物の裏面及び余白部分に広告を掲載して、郵便やハガキが差し出すことのできるシステム
【発明の効果】
【００４０】本発明の効果は、印刷物や複写物の裏側は、通常は何も印刷されていない状態であるが、ここに広告を記載することにより、広告媒体となるばかりではなく、紙の節約にもつながる。【００４１】本発明の効果は、印刷された印刷物は通常は、相当の長期間にわたり、保存することが想定されるため、それと同時に相当長期間の広告媒体につながる。【００４２】本発明の効果は、機器が整備されていない環境下であっても、事業者コンピューターにアクセスなどをすることにより、これらのシステムが利用できる。【００４３】本発明の効果は、広告だけではなく、防虫剤や芳香剤の代用として利用することも可能であり、車内や屋内に置くことにより、人目につき、それは広告媒体ともなる。【００４４】本発明の効果は、企業のＤＭなどは、大量に届き受信者側としては迷惑となる場合も多々あるが、日用品や食料品のラベルなどに広告を掲載することにより、ユーザーとしても受取って嬉しい広告となるばかりではなく、企業のイメージアップにも貢献する。【００４５】本発明の効果は、内容証明を差し出す場合にも、従来のように文字数や文字種にとらわれることなく、また図面や図画、資料添付することにより、より一層明確で分かりやすい内容証明が手軽に出せるばかりではなく、企業の広告入り用紙を選択した場合には、より安価で内容証明を発信することが可能となる。
【発明を実施するための最良の形態】
【００４６】
【実施例】
【００４７】本発明は、一般ユーザーが、コピー、プリンター、スキャナ、ファックス、名刺、写真、その他印刷物をプリントする場合【００４８】事業者の設置されいる機器を用いて、一般ユーザーか広告が掲載されている用紙及び掲載されていない用紙を選択し、広告が掲載している用紙を選択した場合には、その印刷物の余白及び裏面には、企業の広告が掲載される。こうすることにより、比較的安価格にて利用することができる。【００４９】前号の場合、広告が掲載されていない用紙を選択した場合には、広告が掲載されていない状態の用紙にて、原稿が排出される。【００５０】自宅や外出先から、本サービスを利用したい場合、若しくは、機器が整備されていない環境の場合には、事業者のコンピューターにアクセスし、及び機器が苦手な方の場合には、ファックス送信若しくは郵送にて、データーを送信する。【００５１】この場合も、一般ユーザーが広告が掲載されている用紙と掲載されてない用紙を選択し、プリントを事業者に依頼して、プリントされた印刷物を後ほど、一般ユーザーに届ける。【００５２】なお、一般ユーザーの希望により、用紙は広告入りと広告なしが選択できるだけではなく、香りつきの用紙及び防虫効果のある用紙をもユーザーは選択することが可能となる。【００５３】こうすることにより、防虫剤、芳香剤の代わりとして代用することができる事により、人目に付きやすい場所に設置されることが想定され、そのことによりより一層高い広告効果が得られるものである。【００５４】一般ユーザーより、印刷物の依頼を受けた事業者は、その際に、ユーザーに対して、アンケートを実施し、一般ユーザーの状態、ニーズや生活環境を的確に把握し後日、その得られた情報を元にして、企業の広告入りの商品を送達する。【００５５】企業の広告は、日用品及び食料品などのパッケージに企業の広告を掲載し、若しくは広告が掲載されたものを貼りつけることにより、それらの広告が掲載された商品を一般消費者としても受取って日常生活にも役立つＤＭとなる【００５６】一般ユーザーが内容証明を発信しようとする場合、事業者コンピューターにアクセス、若しくはファックス、郵便などの通信手段を用いて、アクセスし、ユーザーが自分で送りたい文書や図面、図画、添付資料などを、送達する【００５７】事業者側では、一般ユーザーより送られてきた、文書、図画、写真、添付資料を事業者側で、３部複写して、日付、証明文言を付与して、押印し、書類や資料が複数にわたる場合には、それらに、割り印若しくは封印を施し、１部を差出入に還付し、１部を相手方に送達し、もう一部は、事業者側で保管する。【００５８】前号の場合、ユーザーは、広告入りの内容証明若しくは広告なしの内容証明を選択することにより、広告入りの内容証明を選択した場合には、比較的安価にて、内容証明を発信することができる。【００５９】前号の場合、ユーザーの必要に応じて、事業者側で配達の証明、本人限定受取扱い、時刻証明、速達などを選択することができる。【００６０】一般ユーザーは、郵便物やハガキを差し出す場合には、広告入りのものと広告なしのものを選択して、広告入りのものを選択した場合には、郵便物の裏側及び余白部分に企業の広告が掲載された郵便物がプリントされ、比較的安価にて、郵便物やハガキを差し出すことが可能となる。
【産業上の利用可能性】
【００６１】本発明は、コピー用紙、プリント用紙を新たな広告媒体として、利用することにより、小額の費用で大きな効果がえられるシステムであるばかりではなく、紙資源の有効活用に付与するものである。【００６２】本発明は、防虫効果及び芳香効果のある用紙を用いることにより、防虫剤や芳香剤の代わりとなるだけではなく、企業の、広告媒体となるものである。【００６３】本発明は、企業広告を日用品本体やそのラベルに印刷することにより、一般ユーザーとしても、比較的安価で、企業広告となるばかりではなく、一般ユーザーとしては、食費及び生活費の節約に貢献するものである。【００６４】本発明は、内容証明が文字数、文字種、に制限がなく、また、図面や図画を記載、添付することにより、全体としてより一層明瞭で理解しやすい内容証明にするものである。
【図面の簡単な説明】
【００６５】
【図１】一般ユーザーが、事業者の設置した機器を用いて、コピー、ファックス、プリンタ、スキャナを使用する関係説明図
【図２】一般ユーザーが、事業者のコンピューターにアクセス、郵送などの手法により、データーを送信して、本サービスを利用する関係説明図
【符号の説明】
【００６７】１．広告依頼企業
２．広告配信依頼
３．広告料の支払
４．事業者設置機器
５．一般消費者
６．内容証明受取人
【図１】
2009258572.tif 000003
【図２】
2009258572.tif 000004